(57)【特許請求の範囲】
【請求項１】
受信中の周波数を代替周波数に自動的に切り換えるラジオ受信機であって、
周波数に係る電界強度が一のしきい値以下であってかつ他のしきい値以下であればこの周波数に係るマルチパスカウント値に対して所定値を加算する処理と、この処理を施されたマルチパスカウント値を用いて、一のしきい値よりも大きな電界強度を有しかつ相対的に小さなマルチカウント値を有する周波数を代替周波数として選択する処理とを実行する手段を備えるラジオ受信機。
【請求項２】
受信中の周波数を代替周波数に自動的に切り換えるラジオ受信機であって、
周波数に係るＦＭ多重データのロックが検出できなければこの周波数に係るマルチパスカウント値に対して所定値を加算する処理と、この処理を施されたマルチパスカウント値を用いて、しきい値よりも大きな電界強度を有しかつ相対的に小さなマルチパスカウント値を有する周波数を代替周波数として選択する処理とを実行する手段を備えるラジオ受信機。
【請求項３】
受信中の周波数を代替周波数に自動的に切り換えるラジオ受信機であって、
周波数に係るＰＩコードがデコードできなければこの周波数に係るマルチパスカウント値に対して重み付けをする処理と、この処理を施されたマルチパスカウント値を用いて、しきい値よりも大きな電界強度を有しかつ相対的に小さなマルチパスカウント値を有する周波数を代替周波数として選択する処理とを実行する手段を備えるラジオ受信機。
【発明の詳細な説明】
【０００１】
【発明の属する技術分野】
本発明は、道路交通通信システム(ＶＩＣＳ)、ＲＤＳ（Ｒａｄｉｏ  Ｄａｔａ  Ｓｙｓｔｅｍ）のようにＦＭラジオ放送信号に各種のデータを多重して放送するラジオ受信システムにおいて、マルチパスや隣接などの妨害レベルに合わせてＡＦ動作(代替周波数への自動周波数切替え)を可能にしたラジオ受信機に関するものである。
【０００２】
【従来の技術】
ＦＭ多重放送は、ＦＭラジオ放送信号に放送局や番組などに関するデータ（ＲＤＳデータ）を多重して放送するシステムであり、このＲＤＳデータは、放送局識別コード（ＰＩコード）、同一放送ネットワークの代替周波数リスト（ＡＦリスト）、放送局名コード（ＰＳ）等から構成される。
【０００３】
従来、このようなＦＭ多重を使用するラジオ受信機について図６を参照して説明する。同図において、５１はＦＭ多重放送を受信するアンテナ、５２はアンテナ５１で受信したＦＭ多重放送から希望の局を選択し該局の受信周波数を中間周波数（ＩＦ）に変換するためのフロントエンド、５３は中間周波数に変換されたＩＦ信号を増幅するＩＦアンプ、５４は選択された局の受信周波数に対応する周波数の発振信号を発振してフロントエンド５２に供給するＰＬＬシンセサイザであり、このＰＬＬシンセサイザ５４内のプログラム分周器に設定する分周比データを変更することにより希望の局を選択することができる。
【０００４】
また、図６において、５５はＩＦアンプ５３の出力信号を検波するＦＭ検波回路であり、このＦＭ検波回路５５の出力信号はマルチプレックス（ＭＰＸ）復調回路５６に供給され、左右のステレオ信号Ｌ、Ｒに分離される。５７はＦＭ検波回路５５の検波出力信号からラジオデータ信号を抽出するフィルタであり、このフィルタ５７の出力信号はＦＭ多重データ（ラジオデータ）復調回路５８で復調された後、デコーダ５９でコード化されてラジオデータが生成される。６０はマイクロコンピュータ等からなるコントローラであり、デコーダ５９で生成されたラジオデータはコントローラ６０内蔵のメモリ（図示省略）に記憶される。６２はコントローラ６０に接続された表示部であり、この表示部６２にはコントローラ６０で処理された各種の内容が必要に応じて表示される。例えば、放送局名等が表示される。
【０００５】
また、コントローラ６０にはＩＦアンプ５３の出力信号が入力され、受信信号のレベルが判定される。６１はコントローラ６０に接続された、複数のプリセット釦６１１を有する選局部であり、所定のプリセット釦６１１を操作すると、このプリセット釦６１１に対応して、コントローラ６０内蔵のメモリに記憶されている受信周波数関連データに基づき所定の周波数に同調するようにＰＬＬシンセサイザ５４の可変分周器に分周データを設定する。
【０００６】
図７は、従来のラジオ受信機におけるＳＤ（電界強度）のレベルを判定するチェック動作の処理手順を示すフローチャートであり、この処理はコントローラ６０で行われる。
【０００７】
図７に示すプログラムがスタートすると、まず、ＩＦアンプ５３の出力信号を取り込むことにより、現在受信中の局のＳＤ（電界強度）を検出する（ステップＳ６１）。次に、検出したＳＤ（電界強度）がＡＦスタートしきい値ＳＤ１より小さいかを判定する（ステップＳ６２）。ここで、否定判定された場合はＳＤ（電界強度）のレベル判定処理が終了する。また、肯定判定された場合は、コントローラ６０内蔵のメモリに記憶されているＡＦリスト（同一内容放送局の代替周波数リスト）により同調すべき放送局の電界強度をチェックして最大ＳＤ局に同調させる。
【０００８】
【発明が解決しようとする課題】
しかしながら、上記のような従来のラジオ受信機において、ＡＦ動作（代替周波数への自動周波数切替え）時のＳＤチェックでは、ＦＭ放送電波に重畳されいるラジオデータ信号の周波数偏移がプラスマイナス２ＫＨｚ（標準）と低く微小信号となっているため、雑音やマルチパス干渉等の妨害によりＦＭ多重データの誤り判定が起こり同調の誤動作となって、雑音妨害のひどい局に同調したり、受信状態が不安定な局に同調したりするという課題があった。
【０００９】
本発明は、上記のような課題を解決するものであり、マルチパス干渉や隣接等の妨害レベルを、受信状態を把握する上で必要な複数のパラメータ(ＰＩコードの不一致、ＦＭ多重ロックの不可、電界強度等)から判定し、この判定結果に基づいて最適なＡＦ動作を可能としたラジオ受信機を提供することを目的とする。
【００１０】
【課題を解決するための手段】
上記課題を解決するために本発明は、第１に、受信中の周波数を代替周波数に自動的に切り換えるラジオ受信機であって、周波数に係る電界強度が一のしきい値以下であってかつ他のしきい値以下であればこの周波数に係るマルチパスカウント値に対して所定値を加算する処理と、この処理を施されたマルチパスカウント値を用いて、一のしき値よりも大きな電界強度を有しかつ相対的に小さなマルチカウント値を有する周波数を代替周波数を選択する処理とを実行する手段を備えるものであり、第２に、受信中の周波数を代替周波数に自動的に切り換えるラジオ受信機であって、周波数に係るＦＭ多重データのロックが検出できなければこの周波数に係るマルチパスカウント値に対して所定値を加算する処理と、この処理を施されたマルチパスカウント値を用いて、しきい値よりも大きな電界強度を有しかつ相対的に小さなマルチパスカウント値を有する周波数を代替周波数として選択する処理とを実行する手段を備えるものであり、第３に、受信中の周波数を代替周波数に自動的に切り換えるラジオ受信機であって、周波数に係るＰＩコードがデコードできなければこの周波数に係るマルチパスカウント値に対して重み付けをする処理と、この処理を施されたマルチパスカウント値を用いて、しきい値よりも大きな電界強度を有しかつ相対的に小さなマルチパスカウント値を有する周波数を代替周波数として選択する処理とを実行する手段を備えるものである。
【００１１】
本発明によれば、マルチパス干渉や隣接等の妨害レベルを、受信状態を把握する上で必要な複数のパラメータ（ＰＩコードの不一致、ＦＭ多重ロックの不可、電界強度等）から判定し、この判定結果に基づいて妨害の少ない最適なＡＦ動作を行うことができる。
【００１２】
【発明の実施の形態】
本発明は、ＲＤＳデータを含むＦＭ多重放送から希望の局を選択して受信するラジオ受信機であって、前記受信した受信信号からＲＤＳデータを復調する復調回路と、前記受信信号の電界強度を検出する電界強度検出手段と、電界強度等のパラメータから妨害レベルを切換先周波数毎にカウントするタイマー妨害検出カウンタと、前記受信した受信周波数をサーチして代替周波数への切換動作（ＡＦ動作）させることにより前記電界強度検出手段で検出した電界強度がＡＦ動作開始しきい値より小さい時に前記受信周波数局が属する同一ネット局の代替周波数リスト内に前記受信周波数の局があるか否かを判定し、ない時は元の受信局に戻すとともに、ある時は該周波数に同調する局の電界強度から妨害レベルを前記タイマー妨害検出カウンタでカウントし、該カウント値がＡＦ動作可能レベル以下の時は妨害検出しきい値より小さいかを判定し、小さい時及びＡＦ動作可能レベル以上の時は前記タイマー妨害検出カウンタのカウント値に所定の妨害レベル値を加算して前記代替周波数リストの次局へ移行させるとともに大きい時は前記代替周波数リストの次局へ移行させて上記一連の動作を繰り返すことにより前記代替周波数リスト内の電界強度状態を書き換える電界強度チェック処理手段とを備えるものであり、受信状態を把握する上で必要な電界強度を妨害検出値としてタイマー付き妨害検出カウンタによりカウントし、このカウント値に応じてＡＦ動作における切換先周波数の判定を行うことにより、妨害の少ない周波数へＡＦ動作させることができるという作用を有する。
【００１３】
本発明は、復調したＲＤＳデータからＦＭ多重ロックを検出するＦＭ多重ロック検出手段と、電界強度チェック処理手段でチェックされた代替周波数リストから電界強度がＯＫの受信局を抽出して該受信局の放送局識別コードが代替周波数リストにあるか否か判別し、ない時は元の受信局に戻すとともに、ある時は該受信局に同調させた後前記ＦＭ多重ロック検出手段がＦＭ多重ロックを検出したかを判定し、ＦＭ多重データのロックを検出できない時は抽出した受信局に対してタイマー付き妨害検出カウンタでカウントした妨害検出値にＦＭ多重ロック不可としての所定のレベル値を加算して代替周波数リストの次の局へ移行させ、ＦＭ多重データのロックを検出できた時は放送局識別コードをデコードできたかを判定し、デコードできない時は抽出した受信局に対してタイマー付き妨害検出カウンタでカウントした妨害検出値に放送局識別デコード不可としての所定のレベル値を加算して代替周波数リストの次の受信局へ移行させ、デコードできた時は現在の受信局と抽出した受信局の放送局識別コードが一致しているか否かを判定し、一致しない場合は代替周波数リストから該受信局を除外して代替周波数リストの次の受信局へ移行させる放送局識別チェック処理手段を更に備えるものであり、受信状態を把握する上で必要な電界強度に加えて、ＦＭ多重ロックの不可及びＰＩコードのデコードの不一致を妨害検出値としてタイマー付き妨害検出カウンタによりカウントし、このカウント値に応じてＡＦ動作における切換先周波数の判定を行うことにより、妨害の少ない周波数へＡＦ動作させることができるという作用を有する。
【００１４】
本発明は、現在の受信局と代替周波数リストから抽出した受信局の放送局識別コードが一致した時及び検出した電界強度がＡＦ動作開始しきい値より大きい時、タイマー付き妨害検出カウンタを動作させ、そのタイマ計数時間がディクリメントタイムより小さいか否かを判定し、ディクリメントタイム以下の場合は代替周波数リストの受信局全ての妨害検出カウント値から一定値を減算してインパルス応答させるものであり、タイマー付き妨害検出カウンタを妨害発生時にインパルス応答させて妨害検出信号を時分割平均化することにより、妨害のひどい局に対し一定時間ＡＦ動作しないようにでき、ＡＦ動作の試行頻度を軽減できるという作用を有する。
【００１５】
本発明は、ＲＤＳデータを含むＦＭ多重放送から希望の局を選択して受信するラジオ受信機の代替周波数への切換方法であって、前記受信した受信周波数をサーチして代替周波数への切換動作（ＡＦ動作）させることにより電界強度検出手段で検出した電界強度がＡＦ動作開始しきい値より小さい時に前記受信周波数局が属する同一ネット局の代替周波数リスト内に前記受信周波数の局があるか否かを判定し、ない時は元の受信局に戻すとともに、ある時は該周波数に同調する局の電界強度から妨害レベルをタイマー妨害検出カウンタでカウントし、該カウント値がＡＦ動作可能レベル以下の時は妨害検出しきい値より小さいかを判定し、小さい時及びＡＦ動作可能レベル以上の時は前記タイマー妨害検出カウンタのカウント値に所定の妨害レベル値を加算して前記代替周波数リストの次局へ移行させるとともに大きい時は前記代替周波数リストの次局へ移行させて上記一連の動作を繰り返すことにより前記代替周波数リスト内の電界強度状態を書き換えるものであり、受信状態を把握する上で必要な電界強度を妨害検出値としてタイマー付き妨害検出カウンタによりカウントし、このカウント値に応じてＡＦ動作における切換先周波数の判定を行うことにより、妨害の少ない周波数へＡＦ動作させることができるという作用を有する。
【００１６】
本発明は、前記復調したＲＤＳデータからＦＭ多重ロックを検出するＦＭ多重ロック検出手段を備え、電界強度チェックされた代替周波数リストから電界強度がＯＫの受信局を抽出して該受信局の放送局識別コードが代替周波数リストにあるか否か判別し、ない時は元の受信局に戻すとともに、ある時は該受信局に同調させた後前記ＦＭ多重ロック検出手段がＦＭ多重ロックを検出したかを判定し、ＦＭ多重データのロックを検出できない時は抽出した受信局に対してタイマー付き妨害検出カウンタでカウントした妨害検出値にＦＭ多重ロック不可としての所定のレベル値を加算して代替周波数リストの次の局へ移行させ、ＦＭ多重データのロックを検出できた時は放送局識別コードをデコードできたかを判定し、デコードできない時は抽出した受信局に対してタイマー付き妨害検出カウンタでカウントした妨害検出値に放送局識別デコード不可としての所定のレベル値を加算して代替周波数リストの次の受信局へ移行させ、デコードできた時は現在の受信局と抽出した受信局の放送局識別コードが一致しているか否かを判定し、一致しない場合は代替周波数リストから該受信局を除外して代替周波数リストの次の受信局へ移行させるものであり、受信状態を把握する上で必要な電界強度に加えて、ＦＭ多重ロックの不可及びＰＩコードのデコードの不一致を妨害検出値としてタイマー付き妨害検出カウンタによりカウントし、このカウント値に応じてＡＦ動作における切換先周波数の判定を行うことにより、妨害の少ない周波数へＡＦ動作させることができるという作用を有する。
【００１７】
本発明は、現在の受信局と代替周波数リストから抽出した受信局の放送局識別コードが一致した時及び検出した電界強度がＡＦ動作開始しきい値より大きい時、タイマー付き妨害検出カウンタを動作させ、そのタイマ計数時間がディクリメントタイムより小さいか否かを判定し、ディクリメントタイム以下の場合は代替周波数リストの受信局全ての妨害検出カウント値から一定値を減算してインパルス応答させるものであり、タイマー付き妨害検出カウンタを妨害発生時にインパルス応答させて妨害検出信号を時分割平均化することにより、妨害のひどい局に対し一定時間ＡＦ動作しないようにでき、ＡＦ動作の試行頻度を軽減できるという作用を有する。
【００１８】
以下、本発明の実施の形態について、図面を参照して説明する。図１は本発明の動作を可能にするラジオ受信機の実施の形態を示すブロック図である。
【００１９】
図１において、１はＦＭ多重放送を受信するアンテナ、２はアンテナ１で受信したＦＭ多重放送から希望の局を選択し該局の受信周波数を中間周波数（ＩＦ）に変換するためのフロントエンド、３は中間周波数に変換されたＩＦ信号を増幅するＩＦアンプ、４は選択された局の受信周波数に対応する周波数の発振信号を発振してフロントエンド２に供給するＰＬＬシンセサイザであり、このＰＬＬシンセサイザ４内のプログラム分周器に設定する分周比データを変更することにより希望の局を選択することができる。
【００２０】
また、図１において、５はＩＦアンプ３の出力信号を検波するＦＭ検波回路であり、このＦＭ検波回路５の出力信号はマルチプレックス（ＭＰＸ）復調回路６に供給され、左右のステレオ信号Ｌ、Ｒに分離される。７はＦＭ検波回路５の検波出力信号からラジオデータ信号を抽出するフィルタであり、このフィルタ７の出力信号がＦＭ多重データ（ラジオデータ）復調回路８で復調された後、デコーダ９によりコード化されたラジオデータが生成されてコントローラ１０に入力される。
【００２１】
コントローラ１０はマイクロコンピュータ等から構成され、ＩＦアンプ３の出力信号から現在受信中の局のＳＤ（電界強度）を検出するＳＤ検出手段１０１、デコーダ９のラジオデータからＦＭ多重ロックを検出するＦＭ多重ロック検出手段１０２、ＰＬＬシンセサイザ４のロックを検出するＰＬＬロック検出手段１０３、ＳＤチェック処理手段１０４及びＰＩチェック処理手段１０５と、ＰＩコードの不一致やＦＭ多重ロックの不可や電界強度等のパラメータによる受信状態情報を切換先周波数毎にカウントするタイマー付き妨害検出カウンタ１０６を備える。
【００２２】
また、１２はコントローラ１０に接続された表示部であり、この表示部１２にはコントローラ１０で処理された各種の内容が必要に応じて表示される。例えば放送局名等が表示される。１１はコントローラ１０に接続された、複数のプリセット釦１１１を有する選局部であり、所定のプリセット釦１１１を操作すると、このプリセット釦１１１に対応して、コントローラ１０内蔵のメモリ（図示省略）に記憶されている受信周波数関連データに基づき所定の周波数に同調するようにＰＬＬシンセサイザ４の可変分周器に分周データを設定する。
【００２３】
次に、上記のように構成された本実施の形態の動作について、図２ないし図４を参照して説明する。図２は本発明の実施の形態におけるラジオ受信機の全体の動作手順を示すフローチャート、図３は本発明の実施の形態におけるＳＤチェックの動作手順を示すフローチャート、図４は本発明の実施の形態におけるＰＩチェックの動作手順を示すフローチャートである。
【００２４】
ラジオ受信機が受信周波数のサーチを開始すると図２に示す処理プログラムがスタートする。これに伴い、まず、ＳＤ検出手段１０１がＩＦアンプ３の出力信号から現在受信中の局のＳＤ（電界強度）を検出する（ステップＳ１）。次いでＳＤ検出手段１０１により検出したＳＤ（電界強度）がＳＤ≦ＳＤ１（ＡＦスタートしきい値）かを判定する（ステップＳ２）。ここで、ＳＤ（電界強度）がＳＤ１より大きい場合はステップＳ７に進み、また、ＳＤ（電界強度）がＳＤ１以下場合はステップＳ３に移行して、図３に示すＳＤチェックのサブルーチン処理がＳＤチェック処理手段１０４で実行される。
【００２５】
このＳＤチェック動作においては、まず、前記受信局が属する同一ネット局グループのＡＦリスト（代替周波数リスト）内にＳＤ（電界強度）がＳＤ１以下と判定された周波数の局があるか否かの判定する（ステップＳ３０１）。ここで、ＡＦリスト内にその周波数の局がないと判定された場合はステップＳ３０２に移行して、元の周波数の局を同調させ、図２のステップＳ４にリターンする。
【００２６】
また、ＡＦリスト内にその周波数の局があると判定された場合はステップＳ３０３に進み、ＡＦリスト内の周波数の局を同調させ、次いで、同調した周波数の局のＳＤ（電界強度）をＳＤ検出手段１０１で検出する（ステップＳ３０４）。検出されたＳＤ（電界強度）はＡＦ可能レベル（「一のしきい値」および「しきい値」に相当する）ＳＤ２以下であるか否かを判定する（ステップＳ３０５）。ここで、検出したＳＤがＡＦ可能レベルＳＤ２より大きい場合はステップＳ３０７に移行して、図５に示すように、対応する周波数の電界強度状況を表すＳＤに「ＯＫ」を設定し、またはＡＦリスト上のＳＤ状態を「ＯＫ」に書き換える。次いで、ステップＳ３１０に移行してＡＦリストの次の局（切換先周波数）へとサーチさせる。また、受信したＳＤがＡＦ可能レベルＳＤ２以下である場合はステップＳ３０６に移行して、対応する周波数の電界強度状況を表すＳＤに「ＮＧ」を設定し、またはＡＦリスト上のＳＤ状態を書き換える。その後、上記ＳＤが妨害検出しきい値（「他のしきい値」に相当する）ＳＤ３より小さいか否かを判定する（ステップＳ３０８）。
【００２７】
ステップＳ３０８において、上記ＳＤが妨害検出しきい値ＳＤ３より大きいと判定された場合はステップＳ３１０に移行してＡＦリストの次の局（切換先周波数）へとサーチさせる。また、上記ＳＤが妨害検出しきい値ＳＤ３以下であると判定された場合はステップＳ３０７に移行して、呼出したＡＦリストの局（切換先周波数）におけるタイマー付き妨害検出カウンタ１０６でカウントされたマルチパスカウント値（妨害検出値）ＭＣにＳＤによる妨害レベル値ｏを加算し、ＭＣ←ＭＣ＋ｏの重み付け処理を行い、その妨害レベル値ｏを図５に示すようにＡＦリストのマルチパスカウント値ＭＣの欄に書き込む。次いで、ＡＦリストの次の局（切換先周波数）へ移動し（ステップＳ３１０）、同一ネット局グループの各周波数に対してＳＤチェックを行う。このＳＤチェックが終了すると図２のフローチャートにリターンする。
【００２８】
次に図２において、ＳＤチェックにてＳＤの「ＯＫ」された局がＡＦリスト内に１つでもあるか否かを判定する（ステップＳ４）。ここで、ＳＤ「ＯＫ」の局がＡＦリスト内にない場合はステップＳ７に移行し、また、ＳＤ「ＯＫ」の局がＡＦリスト内にある場合はステップＳ５に移行して、ＳＤ「ＯＫ」の局をＡＦリストから抽出する。そして、ＰＩチェックのサブルーチン（ステップＳ６）に移行する。このサブルーチンで代替局がＯＫならば、受信局が切り替わる。
【００２９】
次に、ＰＩチェック処理手段１０５によるＰＩチェックの処理を図４を参照して説明する。図４において、ＰＩチェックプログラムがスタートすると、まず、ＡＦリストに上記ＳＤ「ＯＫ」の周波数に対応する放送局の識別コードＰＩがあるか否かを判定する（ステップＳ６０１）。ここで、ＡＦリスト局に放送局識別コードＰＩがないと判定された場合はステップＳ６０２に移行して、元の周波数の局を同調させ、図２のステップＳ７にリターンする。また、ＡＦリストにＳＤ「ＯＫ」の局の放送局識別コードＰＩがあると判定された場合はステップＳ６０３に進み、呼出したＡＦリストの局に同調させる。
【００３０】
次いで、時間Ｔ２の間に時間Ｔ３以上の時間、ＦＭ多重ロック検出手段１０２でＦＭ多重データのロックを検出できたかを判定する（ステップＳ６０４）。ここで、ＦＭ多重データのロックを検出できない場合はステップＳ６０５に移行し、呼出したＡＦリストの受信局に対して、タイマー付き妨害検出カウンタ１０６でカウントしたマルチパスカウント値（妨害検出値）ＭＣにＦＭ多重ロック不可としてのレベル値ｐを加算し、ＭＣ←ＭＣ＋ｐの重み付け処理を行い、そのレベル値ｐを図５に示すようにＡＦリストのマルチパスカウント値ＭＣの欄に書き込む。そして、ＡＦリストの次の局へ移動させる処理を行い（ステップＳ６１０）、ステップＳ６０１に戻る。また、ＦＭ多重データのロックを検出できた場合はステップＳ６０６に移行して、ＰＩコードがデコードできたかを判定する。
【００３１】
ここで、ＰＩコードがデコードできない場合はステップＳ６０７に移行し、呼出したＡＦリストの受信局に対して、タイマー付き妨害検出カウンタ１０６でカウントしたマルチパスカウント値（妨害検出値）ＭＣにＰＩデコード不可としてのレベル値ｑを加算し、ＭＣ←ＭＣ＋ｑの重み付け処理を行い、そのレベル値ｑを図５に示すようにＡＦリストのマルチパスカウント値ＭＣの欄に書き込む。そして、ＡＦリストの次の局へ移動させる処理を行い（ステップＳ６１０）、ステップＳ６０１に戻る。また、ＰＩコードがデコードできた場合はステップＳ６０８に移行して、現在の受信局（聞いている局）と呼出しＡＦリスト局のＰＩコードが一致しているか否か（同じ内容の局か否か）を判定する。ここで、一致した場合は図２のステップＳ７にリターンし、一致しない場合はＡＦリストから除外する処理を実行し（ステップＳ６０９）、ＡＦリストの次の局へ移動させる処理を行い（ステップＳ６１０）、ステップＳ６０１に戻る。
【００３２】
上記のＰＩチェック処理において、現在の受信局と呼出しＡＦリスト局のＰＩコードが一致した時、及び図２のステップＳ２において検出したＳＤがＡＦスタートしきい値ＳＤ１より大きいと判定された時はステップＳ７に戻り、タイマー付き妨害検出カウンタ１０６を動作させる。これにより、タイマー付き妨害検出カウンタ１０６の計数時間ＴがディクリメントタイムＴ１より小さいか否かを判定する（ステップＳ８）。ここで、タイマー付き妨害検出カウンタ１０６の計数時間ＴがディクリメントタイムＴ１以上の場合はステップＳ１に戻る。また、タイマー付き妨害検出カウンタ１０６の計数時間ＴがディクリメントタイムＴ１以下の場合はステップＳ９に移行して、受信局リストの局全てのタイマー付き妨害検出カウンタ１０６のマルチパスカウント値ＭＣから一定値Ｒを減算する処理を行った後、ステップＳ１に戻る。
【００３３】
ここで、コントローラ１０での各種妨害検出を行い、その状態に応じて受信周波数切り換えを行うが、この時、妨害が発生した時点のみの切り換え動作にすると受信周波数切り換え動作が頻発してしまい、正常な受信動作ができない。
【００３４】
そこで、本実施の形態におけるタイマー付き妨害検出カウンタ１０６では、妨害発生時にインパルス応答させて、妨害検出信号を積分、すなわち時分割平均化する。すなわちディクリメントタイムＴ１の周期で一定値ＲずつＭＣ（妨害検出値）から減算する。これにより、妨害のひどい局に対し一定時間ＡＦ動作しないようにして、ＡＦ動作の試行頻度を軽減する。これにより、妨害に対し正確に応答でき、正常な受信動作を可能にする。
【００３５】
このような本発明の実施の形態によれば、受信状態を把握する上で必要な電界強度、ＦＭ多重ロックの不可及びＰＩコードのデコードの不一致を妨害検出値としてタイマー付き妨害検出カウンタによりカウントし、このカウント値に応じてＡＦ動作における切換先周波数の判定を行う構成にしたので、妨害の少ない周波数へＡＦ動作させることができる。
【００３６】
また、タイマー付き妨害検出カウンタを妨害発生時にインパルス応答させて妨害検出信号を積分、すなわち時分割平均化することにより、妨害のひどい局に対し一定時間ＡＦ動作しないようにしたので、ＡＦ動作の試行頻度を軽減でき、妨害に対し正確に応答させることができる。
【００３７】
さらに、受信状態を把握する上で必要な電界強度、ＦＭ多重ロックの不可及びＰＩコードのデコードの不一致等のパラメータのカウント値を重み付けすることにより、総合的なＡＦ動作の判定を行うことができる。
【００３８】
【発明の効果】
以上のように本発明によれば、受信状態を把握する上で必要な電界強度、ＦＭ多重ロックの不可及びＰＩコードのデコードの不一致を妨害検出値としてタイマー付き妨害検出カウンタによりカウントし、このカウント値に応じてＡＦ動作における切換先周波数の判定を行うことにより、妨害の少ない周波数へＡＦ動作させることができる。
【００３９】
また、本発明によれば、タイマー付き妨害検出カウンタを妨害発生時にインパルス応答させて妨害検出信号を積分、すなわち時分割平均化することにより、妨害のひどい局に対し一定時間ＡＦ動作しないようにしたので、ＡＦ動作の試行頻度を軽減でき、妨害に対し正確に応答させることができる。
【００４０】
さらに、本発明によれば、受信状態を把握する上で必要な電界強度、ＦＭ多重ロックの不可及びＰＩコードのデコードの不一致等のパラメータのカウント値を重み付けすることにより、総合的なＡＦ動作の判定を行うことができる。
【図面の簡単な説明】
【図１】本発明の実施の形態におけるラジオ受信機の構成を示すブロック図
【図２】本発明の実施の形態におけるラジオ受信機の全体の動作手順を示すフローチャート
【図３】本発明の実施の形態におけるＳＤチェックの動作手順を示すフローチャート
【図４】本発明の実施の形態におけるＰＩチェックの動作手順を示すフローチャート
【図５】本発明の実施の形態におけるＡＦリストの一例を示す説明図
【図６】従来におけるラジオ受信機の構成を示すブロック図
【図７】従来におけるＳＤチェックの動作手順を示すフローチャート
【符号の説明】
１  アンテナ
２  フロントエンド
３  ＩＦアンプ
４  ＰＬＬシンセサイザ
５  ＦＭ検波回路
６  ＭＰＸ復調回路
７  フィルタ
８  ＦＭ多重データ復調回路
９  デコーダ
１０  コントローラ
１０１  ＳＤ検出手段
１０２  ＦＭ多重ロック検出手段
１０３  ＰＬＬロック検出手段
１０４  ＳＤチェック処理手段
１０５  ＰＩチェック処理手段
１０６  タイマー付き妨害検出カウンタ
１１  選局部
１１１  プリセット釦
１２  表示部
【図１】
0003739923.tif 000002
【図２】
0003739923.tif 000003
【図３】
0003739923.tif 000004
【図４】
0003739923.tif 000005
【図５】
0003739923.tif 000006
【図６】
0003739923.tif 000007
【図７】
0003739923.tif 000008